(57)【要約】【課題】  本発明は、各室の室内環境によって一部の室は冷房、他の室は暖房が可能な空気調和機を提供する。【解決手段】  本発明は、冷房及び暖房が可能なマルチ空気調和機の室外熱交換機の一方に備えられ、一端が圧縮機から吐き出される高圧気相の冷媒が流動する配管に連結され、他端が前記マルチ空気調和機の室外熱交換機の一端に連結された高圧液相冷媒が流動する配管に連結される霜除去用熱交換手段を含めてなることを特徴とする。【選択図】      図２
2004219060.tif 000002
【特許請求の範囲】
【請求項１】
冷房及び暖房が可能なマルチ空気調和機の室外熱交換機の一方に備えられ、一端が圧縮機から吐き出される高圧気相の冷媒が流動する配管に連結され、他端が前記マルチ空気調和機の室外熱交換機の一端に連結された高圧液相冷媒が流動する配管に連結される霜除去用熱交換手段を含めてなる霜除去装置。
【請求項２】
前記霜除去用熱交換手段は、
一端が前記高圧気相冷媒が流動する配管に連結され、霜の除去のための運転時に前記高圧気相の冷媒を案内する第１案内管と、
一端が前記第１案内管の他端に連結される除霜用熱交換機と、
一端が前記除霜用熱交換機の他端に連結され、他端は前記高圧液相冷媒が流動する配管に連結される第２案内管を含めてなる請求項１に記載の霜除去装置。
【請求項３】
前記第１案内管は、
霜除去運転時に前記高圧気相の冷媒配管から流れ込む冷媒の流量を制御する電子弁を更に含めてなる請求項２に記載の霜除去装置。
【請求項４】
前記霜除去装置は、
暖房運転時に前記除霜用熱交換機が前記室外熱交換機と共に蒸発器の機能も可能とするために、
一端が前記マルチ空気調和機の低圧気相冷媒が流動する配管に連結され、他端は前記第１案内管に連結されるバイパス管と、
前記第１バイパス管と前記第１案内管との交差部に備えられ、運転モードによって冷媒の流れを変換させる三方弁と、
前記第２案内管に備えられて霜除去運転中に前記高圧液相の冷媒が流動する配管へ流れ込む冷媒を膨張させる膨張手段を更に含めてなる請求項３に記載の霜除去装置。
【請求項５】
前記第２案内管の冷媒膨張手段は、
電子膨張弁からなる請求項４に記載の霜除去装置。
【請求項６】
前記霜除去装置は、
一端が前記マルチ空気調和機の低圧気相の冷媒が流動する配管に連結され、他端が前記第１案内管に連結される第１バイパス管と、
前記第１バイパス管と前記第２案内管の交差部に備えられて、運転モードによって冷媒の流れを変換する第１三方弁と、
一端が前記高圧液相の冷媒が流動する配管に連結され、他端が前記第２案内管に連結される第２バイパス管と、
前記第２案内管と前記バイパス管との交差部に備えられて前記運転モードによって冷媒の流れを変換させる第２三方弁を更に含めてなる請求項３に記載の霜除去装置。
【請求項７】
室外に設けられその内部には圧縮機と、前記圧縮機の吐き出し端に連結されて運転条件によって冷媒を選択的に案内する冷媒流動制御部と、
前記冷媒流動制御部に連結される室外熱交換機と、
前記室外熱交換機の一方に備えられる霜除去装置、また、前記各構成要素を連結する配管部を有する室外機と、
室内の各室にそれぞれ設けられ内部に室内熱交換機と、一端が前記室内熱交換機の一端に連結される電子膨張弁が備えられた複数の室内機と、
前記室外機と前記室内機との間に備えられ、前記室外機から流れ込んだ冷媒を前記運転条件によって前記複数の室内機内に選択的に案内し、前記室内機を経由した冷媒を前記室外機に再び案内する分配機を含めてなり、
前記配管部は、前記圧縮機の吐き出し端に連結され、他端が前記分配機に連結され、その間に前記冷媒流動制御部と室外熱交換機が順次に連結される第１連結配管と、前記冷媒流動制御部と前記圧縮機の吐き出し端との間を連結する前記第１連結配管に連結され、圧縮された冷媒を直接前記分配機に案内する第２連結配管、また、前記圧縮機の吸入端と前記分配機とを連結し、前記冷媒流動制御部の一端を連結する分岐管を有し、低圧気相の冷媒を圧縮機に案内する第３連結配管を含めてなるマルチ空気調和機。
【請求項８】
前記冷媒流動制御部は、
前記運転条件によって前記圧縮機から吐き出された冷媒を前記室外熱交換機又は前記分配機で選択的に案内する四方弁からなる請求項７に記載のマルチ空気調和機。
【請求項９】
前記分配機は、
前記運転条件によって、前記室外機の第１又は第２連結配管に沿って流入する冷媒を前記室内機に案内し、前記室内機から流入した冷媒を前記室外機の第１連結配管又は第３連結配管に案内する案内配管部と、
前記案内配管部に設けられて前記運転条件に沿って冷媒が前記室内機に選択的に、流出、流入するように冷媒の流れを制御する弁部を含めてなる請求項７に記載のマルチ空気調和機。
【請求項１０】
前記案内配管部は、
一端が前記室外機の第１連結配管に直接連結される高圧液相冷媒連結管と、
一端が前記高圧液相冷媒連結管で前記室内機の数によって分岐し、他端が各室内機の電子膨張弁の他端に連結される高圧液相冷媒分岐管と、
一端が前記室外機の第２連結配管に直接連結される高圧気相冷媒連結管と、
一端が前記高圧気相冷媒連結管で前記室内機の数によって分岐し、他端が各室内機の熱交換機の他端に連結される高圧気相冷媒分岐管と、
一端が前記室外機の第３連結配管に直接連結される低圧気相冷媒連結管と、
一端が前記低圧気相冷媒連結管で前記室内機の数によって分岐し、他端は前記高圧気相冷媒分岐管が連結される前記各室内機の熱交換機の他端に連結される低圧気相冷媒分岐管とを含めてなる請求項９に記載のマルチ空気調和機。
【請求項１１】
前記弁部は、
前記高圧気相冷媒分岐管と前記低圧気相冷媒分岐管上に各々設けられ室内が冷房される場合には、前記高圧気相冷媒分岐管の弁は閉鎖、低圧気相冷媒分岐管上の弁は開放され、
また室内が暖房される場合には、前記各弁が前記室内が冷房で運転される場合とは反対に開閉されて冷媒の流れを制御する選択弁を含めてなる請求項１０に記載のマルチ空気調和機。
【請求項１２】
前記霜除去装置は、
一端が前記第２連結配管に連結され、他端が前記分配機と前記室外熱交換機との間の第１連結配管に連結されるようになされる請求項７に記載のマルチ空気調和機。
【請求項１３】
前記霜除去装置は、
一端が前記第２連結配管に連結され、前記第２連結配管から冷媒を案内する第１案内管と、
一端が前記第１案内管の他端に連結される除霜用熱交換機と、
一端が前記除霜用熱交換機の他端に連結され、他端が前記分配機と室外熱交換機との間の第１連結配管に連結される第２案内管を含めてなる請求項１２に記載のマルチ空気調和機。
【請求項１４】
前記霜除去装置は、
前記第１案内管に設けられて前記第２連結配管から流れ込む冷媒の流量を制御する電子弁を更に含めてなる請求項１３に記載のマルチ空気調和機。
【請求項１５】
前記運転条件は、
全室を冷房する第１モードと、
多数室を冷房し、少数室を暖房する第２モードと、
全室を暖房する第３モードと、
多数室を暖房し少数室を冷房する第４モードと、
前記第３モード運転と同時に前記室外熱交換機に生成される霜を除去する運転を兼ねる第５モードと、
前記第４モード運転と同時に前記室外熱交換機に生成される霜を除去する運転を兼ねる第６モードとを含めてなる請求項１４に記載のマルチ空気調和機。
【請求項１６】
前記室外機は、
前記分配機と前記室外熱交換機との間の第１連結配管上に設けられて前記第１モード又は第２モード運転時に前記室外熱交換機から前記分配機側に冷媒を通過させるチェック弁と、
前記チェック弁と並列に設けられて前記第３モードないし第６モード運転時に前記分配機から前記第１連結配管を通して流れ込んだ冷媒を前記室外熱交換機に案内し、前記冷媒を膨張させる要素を含む暖房用並列膨張配管を更に含めてなる請求項１５に記載のマルチ空気調和機。
【請求項１７】
前記第２案内管は、
前記第１連結配管との連結部が前記暖房用並列膨張配管と分配機との間に成される請求項１６に記載のマルチ空気調和機。
【請求項１８】
前記霜除去装置は、
前記第３又は第４モード中には前記除霜用熱交換機が前記室外熱交換機と共に蒸発器の機能も可能とするために、
一端が前記四方弁と前記室外熱交換機との間を連結する第１連結配管に連結され、他端が前記第１案内管に連結されるバイパス管と、
前記第１バイパス管と前記第１案内管との交差部に備えられ、運転モードによって冷媒の流れを変換させる三方弁と、
前記第２案内管に備えられて前記分配機から流れ込む冷媒を膨張させる膨張手段を更に含めてなる請求項１７に記載のマルチ空気調和機。
【請求項１９】
前記第２案内管の冷媒膨張手段は、
電子膨張弁からなる請求項１８に記載のマルチ空気調和機。
【請求項２０】
前記霜除去装置は、
前記第３または第４モード中には前記除霜用熱交換機が前記室外熱交換機と共に蒸発器の機能も可能とするために、
一端が前記四方弁と前記室外熱交換機との間を連結する第１連結配管に連結され、他端が前記第１案内管に連結される第１バイパス管と、
前記第１バイパス管と前記第１案内管との交差部に備えられ、前記運転モードによって冷媒の流れを変換させる第１三方弁と、
一端が前記室外熱交換機と前記暖房用並列膨張配管との間の第１連結配管に連結され、他端が前記第２案内管に連結される第２バイパス管と、
前記第２案内管と前記バイパス管との交差部に備えられて前記運転モードによって冷媒の流れを変換させる第２三方弁を更に含めてなる請求項１７に記載のマルチ空気調和機。
【請求項２１】
前記室外機は、
前記室外熱交換機側に室外ファンを更に含めてなる請求項７に記載のマルチ空気調和機。
【請求項２２】
前記室外機は、
前記室外熱交換機側に室外ファンを更に含めてなる請求項１３に記載のマルチ空気調和機。
【請求項２３】
前記室外ファンは、
前記除霜用熱交換側で前記室外熱交換機側に空気が流動するようになされる請求項２２に記載のマルチ空気調和機。
【請求項２４】
室外に設けられ、その内部には圧縮機と、前記圧縮機の吐き出し端に連結されて運転条件によって冷媒を選択的に案内する四方弁と、前記四方弁に連結される室外熱交換機と、前記室外熱交換機の片側に備えられる除霜用熱交換機を有する霜除去装置と、前記各構成要素を連結する配管部、また、前記室外熱交換機の周辺の片側に備えられて前記除霜用熱交換機側から前記室外熱交換機の方向に空気を流動させる室外ファンを有する室外機と、
室内の各室に各々設けられ内部に室内熱交換機と一端が前記室内熱交換機に連結される電子膨張弁が備えられた複数の室内機と、
前記室外機と前記室内機との間に備えられて前記室外機から流れ込んだ冷媒を前記運転条件によって前記複数の室内機に選択的に案内し、室内機を経由した冷媒を前記室外機に再び案内する分配機を含めてなり、
前記配管部は一端が前記圧縮機の吐き出し端に連結され、他端が前記分配機に連結され、その間に前記四方弁と室外熱交換機が順次に連結される第１連結配管と、一端が前記四方弁と前記圧縮機との間を連結する第１連結配管に連結されて前記圧縮機で圧縮された冷媒を直接分配機に案内する第２連結配管と、前記圧縮機の吸入端と前記分配機とを連結し、前記冷媒流動制御部の一端を連結する分岐管を有して低圧気相の冷媒を圧縮機に案内する第３連結配管と、一端が前記第２連結配管に連結され、他端が前記除霜用熱交換機に連結され、前記第２連結配管から流れ込む冷媒の流量を制御する電子弁を含む第１案内管と、また、一端が前記除霜用熱交換機に連結され他端が前記分配機と前記室外熱交換機との間の第１連結配管に連結される第２案内管を含めてなるマルチ空気調和機。
【請求項２５】
前記室外機は、
前記分配機と前記室外熱交換機との間の第１連結配管上に設けられて全室を冷房したり多数室を冷房し、少数室を暖房する場合に、前記室外熱交換機から前記分配機側に冷媒を通過させるチェック弁と、
前記チェック弁と並列で設けられて全室を暖房したり多数室を暖房し、少数室を冷房する場合に、前記分配機から前記第１連結配管を通して流れ込んだ冷媒を前記室外熱交換機に案内し、前記冷媒を膨張させる要素を含む暖房用並列膨張配管を更に含めてなる請求項２４に記載のマルチ空気調和機。
【請求項２６】
前記第２案内管は、
前記第１連結配管との連結部が前記暖房用並列膨張配管と分配機との間に成される請求項２５に記載のマルチ空気調和機。
【請求項２７】
前記配管部は、
全室暖房または多数室を暖房し、少数室を冷房する運転モードには前記除霜用熱交換機が前記室外熱交換機と共に蒸発器の機能も可能とするために、
一端が前記四方弁と前記室外熱交換機との間を第１連結配管に連結し、他端が前記第１案内管に連結される第１バイパス管と、
前記第１バイパス管と前記第１案内管との交差部に備えられて運転モードによって冷媒の流れを変換する第１三方弁と、
一端が前記室外熱交換機と前記暖房用並列膨張配管との間の第１連結配管に連結され、他端が前記第２案内管に連結される第２バイパス管と、
前記第２案内管と前記バイパス管との交差部に備えられて運転モードによって冷媒の流れを変換する第２三方弁を更に含めてなる請求項２６に記載のマルチ空気調和機。
【請求項２８】
前記室外ファンは、
前記除霜用熱交換機側から前記室外熱交換機側に空気が流動するようになされる請求項２７に記載のマルチ空気調和機。
【発明の詳細な説明】
【技術分野】
【０００１】
本発明は、マルチ空気調和機に関するもので、特に、暖房運転時に室外熱交換機に生成される霜を除去できる装置及びこれを有するマルチ空気調和機に関する。
【背景技術】
【０００２】
一般に、空気調和機は住居空間、食堂、図書館、又は事務室などの室内空間を冷房又は暖房するための装置であって、圧縮機と熱交換機とを備えて冷媒を流動させて室内を冷暖房する。
【０００３】
一般に空気調和機は、外部気温や環境に影響されず、より快適な室内環境を維持するために冷房と暖房とを同時に行えるマルチ空気調和機の開発に伴って全室を同一の運転モードで冷房又は暖房できるようになった。
【０００４】
かかるマルチ空気調和機は、一台以上の室外機に複数の室内機が連結されて各々の室内機が各室に設けられ、全室を冷房又は暖房モード中いずれか一つの運転モードで動作して室内の温度を調節するようになる。
【０００５】
しかしながら、現在は室内空間が広くなり、室内構造が複雑になり、各室の位置又は用途が多様化することによって全室の室内環境が互いに異なる結果が発生する。特に機械装備や電算装備が備えられた室はその装備の運転によって発生する熱によって室より室内温度が更に高く現れる。
【０００６】
これによって一部の室は冷房を、他の室は暖房を必要とし、従来の空気調和機はかかる要求に対応できない限界があった。
また、暖房モードで運転される場合があって、室外機に備えられた室外熱交換機には周辺空気の冷却によって霜が発生し、これは空気調和機の空調効率を低下させる要因となった。
【０００７】
また、前記室外熱交換機に生成された霜を除去するためには運転モードを冷房に一時変更しなければならないので前記霜除去運転中には暖房できないという問題があった。
前記の必要によって各室の室内環境に対応できる最適の運転モード、即ち、冷房が必要な室は冷房モードで運転すると同時に暖房が必要な室は暖房モードで運転できる冷暖房同時型マルチ空気調和機の開発が要求されている。
【０００８】
また、空気調和機の空調効率を向上させるために、暖房運転時に室外熱交換機に生成される霜を除去できる装置を有するマルチ空気調和機の開発が持続的に要求されている。
【発明の開示】
【発明が解決しようとする課題】
【０００９】
本発明は、上記従来技術の問題点を解決するためのもので、その目的は、各室の室内環境によって一部の室は冷房を、他の室は暖房可能な空気調和機を提供することが目的である。
【００１０】
本発明の他の目的は、マルチ空気調和機の暖房運転時室外熱交換機に生成される霜を除去して空調効率を向上させることができる霜除去装置及び前記霜除去装置を備えたマルチ空気調和機を提供するためである。
【課題を解決するための手段】
【００１１】
上記目的を達成するための本発明によると、冷房及び暖房が可能なマルチ空気調和機の室外熱交換機の一方に備えられ、一端が圧縮機から吐き出される高圧気相の冷媒が流動する配管に連結され、他端が前記マルチ空気調和機の室外熱交換機の一端に連結された高圧液相冷媒が流動する配管に連結される霜除去用熱交換手段を含めてなる霜除去装置を提供する。
【００１２】
前記霜除去用熱交換手段は、一端が前記高圧気相冷媒が流動する配管に連結され、霜の除去のための運転時に前記高圧気相の冷媒を案内する第１案内管と、一端が前記第１案内管の他端に連結される除霜用熱交換機と、一端が前記除霜用熱交換機の他端に連結され、他端は前記高圧液相冷媒が流動する配管に連結される第２案内管を含めてなることが望ましい。
【００１３】
前記第１案内管は、霜除去運転時に前記高圧気相の冷媒配管から流れ込む冷媒の流量を制御する電子弁を更に含めてなり、前記霜除去装置は、暖房運転時に前記除霜用熱交換機が前記室外熱交換機と共に蒸発器の機能も可能とするために、一端が前記マルチ空気調和機の低圧気相冷媒が流動する配管に連結され、他端は前記第１案内管に連結されるバイパス管と、前記第１バイパス管と前記第１案内管との交差部に備えられ、運転モードによって冷媒の流れを変換させる三方弁と、前記第２案内管に備えられて霜除去運転中に前記高圧液相の冷媒が流動する配管へ流れ込む冷媒を膨張させる膨張手段を更に含めてなることが望ましい。
【００１４】
前記第２案内管の冷媒膨張手段は、電子膨張弁からなることが望ましく、前記霜除去装置は、一端が前記マルチ空気調和機の低圧気相の冷媒が流動する配管に連結され、他端が前記第１案内管に連結される第１バイパス管と、前記第１バイパス管と前記第２案内管の交差部に備えられて、運転モードによって冷媒の流れを変換する第１三方弁と、一端が前記高圧液相の冷媒が流動する配管に連結され、他端が前記第２案内管に連結される第２バイパス管と、前記第２案内管と前記バイパス管との交差部に備えられて前記運転モードによって冷媒の流れを変換させる第２三方弁を更に含めてなることが望ましい。
【００１５】
他の一実施例によると、室外に設けられその内部には圧縮機と、前記圧縮機の吐き出し端に連結されて運転条件によって冷媒を選択的に案内する冷媒流動制御部と、前記冷媒流動制御部に連結される室外熱交換機と、前記室外熱交換機の一方に備えられる霜除去装置、また、前記各構成要素を連結する配管部を有する室外機と、室内の各室にそれぞれ設けられ内部に室内熱交換機と一端が前記室内熱交換機の一端に連結される電子膨張弁が備えられた複数の室内機と、前記室外機と前記室内機との間に備えられ前記室外機から流れ込んだ冷媒を前記運転条件によって前記複数の室内機内に選択的に案内し、前記室内機を経由した冷媒を前記室外機に再び案内する分配機を含めてなり、前記配管部は、前記圧縮機の吐き出し端に連結され、他端が前記分配機に連結され、その間に前記冷媒流動制御部と室外熱交換機が順次に連結される第１連結配管と、前記冷媒流動制御部と前記圧縮機の吐き出し端との間を連結する前記第１連結配管に連結され、圧縮された冷媒を直接前記分配機に案内する第２連結配管、また、前記圧縮機の吸入端と前記分配機とを連結し、前記冷媒流動制御部の一端を連結する分岐管を有し、低圧気相の冷媒を圧縮機に案内する第３連結配管を含めてなるマルチ空気調和機を提供する。
【００１６】
前記冷媒流動制御部は、前記運転条件によって前記圧縮機から吐き出された冷媒を前記室外熱交換機又は前記分配機で選択的に案内する四方弁からなることが望ましい。前記分配機は、前記運転条件によって、前記室外機の第１又は第２連結配管に沿って流入する冷媒を前記室内機に案内し、前記室内機から流入した冷媒を前記室外機の第１連結配管又は第３連結配管に案内する案内配管部と、前記案内配管部に設けられて前記運転条件に沿って冷媒が前記室内機に選択的に、流出、流入するように冷媒の流れを制御する弁部を含めてなる。
【００１７】
前記案内配管部は、一端が前記室外機の第１連結配管に直接連結される高圧液相冷媒連結管と、一端が前記高圧液相冷媒連結管で前記室内機の数によって分岐され、他端が各室内機の電子膨張弁の他端に連結される高圧液相冷媒分岐管と、一端が前記室外機の第２連結配管に直接連結される高圧気相冷媒連結管と、一端が前記高圧気相冷媒連結管で前記室内機の数によって分岐し、他端が各室内機の熱交換機の他端に連結される高圧気相冷媒分岐管と、一端が前記室外機の第３連結配管に直接連結される低圧気相冷媒連結管と、一端が前記低圧気相冷媒連結管で前記室内機の数によって分岐し、他端は前記高圧気相冷媒分岐管が連結される前記各室内機の熱交換機の他端に連結される低圧気相冷媒分岐管とを含めてなる。
【００１８】
前記弁部は、前記高圧気相冷媒分岐管と前記低圧気相冷媒分岐管上に各々設けられ室内が冷房される場合には、前記高圧気相冷媒分岐管の弁は閉鎖、低圧気相冷媒分岐管上の弁は開放され、室内が暖房される場合には、前記各弁が前記室内が冷房で運転される場合と反対に開閉されて冷媒の流れを制御する選択弁を含めてなることが望ましい。
前記霜除去装置は、一端が前記第２連結配管に連結され、他端が前記分配機と前記室外熱交換機との間の第１連結配管に連結されるようになされる。前記霜除去装置は、一端が前記第２連結配管に連結され前記第２連結配管から冷媒を案内する第１案内管と、一端が前記第１案内管の他端に連結される除霜用熱交換機と、一端が前記除霜用熱交換機の他端に連結され、他端が前記分配機と室外熱交換機との間の第１連結配管に連結される第２案内管を含めてなる。
前記霜除去装置は、前記第１案内管に設けられて前記第２連結配管から流れ込む冷媒の流量を制御する電子弁を更に含めてなる。
【００１９】
前記運転条件は、全室を冷房する第１モードと、多数室を冷房し、少数室を暖房する第２モードと、全室を暖房する第３モードと、多数室を暖房し少数室を冷房する第４モードと、前記第３モード運転と同時に前記室外熱交換機に生成される霜を除去する運転を兼ねる第５モードと、前記第４モード運転と同時に前記室外熱交換機に生成される霜を除去する運転を兼ねる第６モードとを含めてなる。
【００２０】
前記室外機は、前記分配機と前記室外熱交換機との間の第１連結配管上に設けられて前記第１モード又は第２モード運転時に前記室外熱交換機から前記分配機側に冷媒を通過させるチェック弁と、前記チェック弁に並列に設けられて前記第３モードないし第６モード運転時に前記分配機から前記第１連結配管を通して流れ込んだ冷媒を前記室外熱交換機に案内し、前記冷媒を膨張させる要素を含む暖房用並列膨張配管を更に含めてなり、前記第２案内管は、前記第１連結配管との連結部が前記暖房用並列膨張配管と分配機との間に成される。
また、前記霜除去装置は、前記第３又は第４モード中では、前記除霜用熱交換機が前記室外熱交換機と共に蒸発器の機能も可能とするために、一端が前記四方弁と前記室外熱交換機との間を連結する第１連結配管に連結され、他端が前記第１案内管に連結されるバイパス管と、前記第１バイパス管と前記第１案内管との交差部に備えられ、運転モードによって冷媒の流れを変換させる三方弁と、前記第２案内管に備えられて前記分配機から流れ込む冷媒を膨張させる膨張手段を更に含めてなる。
【００２１】
前記第２案内管の冷媒膨張手段は、電子膨張弁からなり、前記霜除去装置は、前記第３または第４モード中には前記除霜用熱交換機が前記室外熱交換機と共に蒸発器の機能も可能とするために、一端が前記四方弁と前記室外熱交換機との間を連結する第１連結配管に連結され、他端が前記第１案内管に連結される第１バイパス管と、前記第１バイパス管と前記第１案内管との交差部に備えられ、前記運転モードによって冷媒の流れを変換させる第１三方弁と、一端が前記室外熱交換機と前記暖房用並列膨張配管との間の第１連結配管に連結され、他端が前記第２案内管に連結される第２バイパス管と、前記第２案内管と前記バイパス管との交差部に備えられて前記運転モードによって冷媒の流れを変換させる第２三方弁を更に含めてなる。
前記室外機は、前記室外熱交換機側に室外ファンを更に含めてなり、前記室外ファンは、前記除霜用熱交換側で前記室外熱交換機側に空気が流動するようになされる。
【００２２】
他の一実施例によると、室外に設けられ、その内部には圧縮機と、前記圧縮機の吐き出し端に連結されて運転条件によって冷媒を選択的に案内する四方弁と、前記四方弁に連結される室外熱交換機と、前記室外熱交換機の片側に備えられる除霜用熱交換機を有する霜除去装置と、前記各構成要素を連結する配管部、また、前記室外熱交換機の周辺の片側に備えられて前記除霜用熱交換機側で前記室外熱交換機の方向に空気を流動させる室外ファンを有する室外機と、室内の各室に各々設けられ内部に室内熱交換機と、一端が前記室内熱交換機に連結される電子膨張弁が備えられた複数の室内機と、前記室外機と前記室内機との間に備えられて前記室外機から流れ込んだ冷媒を前記運転条件によって前記複数の室内機に選択的に案内し、室内機を経由した冷媒を前記室外機に再び案内する分配機を含めてなり、前記配管部は一端が前記圧縮機の吐き出し端に連結され、他端が前記分配機に連結され、その間に前記四方弁と室外熱交換機が順次に連結される第１連結配管と、一端が前記四方弁と前記圧縮機との間を連結する第１連結配管に連結されて前記圧縮機で圧縮された冷媒を直接分配機に案内する第２連結配管と、前記圧縮機の吸入端と前記分配機とを連結し、前記冷媒流動制御部の一端を連結する分岐管を有して低圧気相の冷媒を圧縮機に案内する第３連結配管と、一端が前記第２連結配管に連結され、他端が前記除霜用熱交換機に連結され、前記第２連結配管から流れ込む冷媒の流量を制御する電子弁を含む第１案内管と、また、一端が前記除霜用熱交換機に連結され他端が前記分配機と前記室外熱交換機との間の第１連結配管に連結される第２案内管を含めてなるマルチ空気調和機を提供する。
【００２３】
前記室外機は、前記分配機と前記室外熱交換機との間の第１連結配管上に設けられて全室を冷房したり多数室を冷房し、少数室を暖房する場合に、前記室外熱交換機から前記分配機側に冷媒を通過させるチェック弁と、前記チェック弁と並列に設けられて全室を暖房したり多数室を暖房し、少数室を冷房する場合に、前記分配機から前記第１連結配管を通して流れ込んだ冷媒を前記室外熱交換機に案内し、前記冷媒を膨張させる要素を含む暖房用並列膨張配管を更に含めてなることが望ましい。
前記第２案内管は、前記第１連結配管との連結部が前記暖房用並列膨張配管と分配機との間に成される。
【００２４】
前記配管部は、全室暖房または多数室を暖房し、少数室を冷房する運転モードには前記除霜用熱交換機が前記室外熱交換機と共に蒸発器の機能も可能とするために、一端が前記四方弁と前記室外熱交換機との間を第１連結配管に連結し、他端が前記第１案内管に連結される第１バイパス管と、前記第１バイパス管と前記第１案内管との交差部に備えられて運転モードによって冷媒の流れを変換する第１三方弁と、一端が前記室外熱交換機と前記暖房用並列膨張配管との間の第１連結配管に連結され、他端が前記第２案内管に連結される第２バイパス管と、前記第２案内管と前記バイパス管との交差部に備えられて運転モードによって冷媒の流れを変換する第２三方弁を更に含めてなり、前記室外ファンは、前記除霜用熱交換機側から前記室外熱交換機側に空気が流動するようになることが望ましい。
【発明の効果】
【００２５】
以下に説明するように、本発明のマルチ空気調和機の運転制御方法によると、次のような効果がある。
第一に、本発明によるマルチ空気調和機は各室の環境に最適対応が可能な長所がある。即ち、各室全体を冷房する第１モード、多数室を冷房し少数室を暖房する第２モード、各室全体を暖房する第３モード、また、多数室を暖房し少数室を冷房する第４モードの運転が全て可能である。
【００２６】
第二に、本発明によるマルチ空気調和機は室外機内部に霜除去装置を含むので、前記第３モードまたは第４モード時に室外熱交換機に生成される霜を除去するので従来のマルチ空気調和機に比べて空調効率が向上し、従来のように霜除去のために室内暖房中間に冷房モードで変更する必要がない。
【００２７】
第三に、本発明によるマルチ空気調和機は、室外熱交換機に生成された霜の除去のために別途のヒーターを採用する必要がないので電力消費を減らすことができる。
【発明を実施するための最良の形態】
【００２８】
以下、添付の図面を参照して本発明を更に詳細に説明する。
本発明に対する理解のために、冷暖房同時型マルチ空気調和機の機能を先ず説明する。空気調和機は特定した領域の空気を使用目的に合うように空気の温度、湿度、空気の流動及び空気の清浄度などを調節する機能などのことを言う。例えば、住居空間や事務所、食堂などの室内空間を冷房又は暖房する機能のことを言う。
【００２９】
かかるマルチ空気調和機において、冷房運転時には室内の熱を吸収した低圧の冷媒は高圧の状態で圧縮した後、室外空気中に熱を放出することによって室内を冷房し、暖房運転時にはかかる過程が反対となる。
【００３０】
但し、従来のマルチ空気調和機は室内の全室を一律に冷房または暖房する反面、本発明によるマルチ空気調和機は各室の状態によって運転条件を異にする。また、後述する霜除去装置を備えることによって空調効率を向上させることができる。
【００３１】
上述した霜除去装置を有するマルチ空気調和機の基本的な構成が図１に図示されている。
図１を参照すれば、前記霜除去装置を有するマルチ空気調和機は、室外機Ａ、分配機Ｂ、また、室内機Ｃを含めてなる。但し、説明の便宜の上、室内機は三つに限定する。
【００３２】
前記室外機Ａは、内部に圧縮機１と前記圧縮機の吐き出し端に連結されて運転条件によって冷媒を選択的に案内する冷媒流動制御部６、前記冷媒流動制御部に連結される室外熱交換機２、前記室外熱交換機の片側に備えられる霜除去装置７０、また、前記各構成要素を連結する配管部を含めてなる。
【００３３】
前記配管部は、前記圧縮機１の吐き出し端に連結され、他端が前記分配機Ｂに連結され、その間に前記冷媒流動制御部６と室外熱交換機２が順次に連結される第１連結配管３、前記冷媒流動制御部６と前記圧縮機１の吐き出し端の間を連結する前記第１連結配管３ａに連結され、圧縮された冷媒を直接前記分配機に案内する第２連結配管４、また、前記圧縮機１の吸入端と前記分配機Ｂを連結する一方、前記冷媒流動制御部６の一端を連結する分岐管５ａを有して低圧気相の冷媒を圧縮機に案内する第３連結配管５を含めてなる。
【００３４】
また、前記室外機は、前記分配機と前記室外熱交換機との間の第１連結配管上３ｃに設けられて冷房モード時に分配機側に冷媒を通過させるチェック弁７ａと、また、前記チェック弁に並列に設けられて前記分配機から前記第１連結配管を介して流れ込んだ冷媒を前記室外熱交換機２に案内し、前記冷媒を膨張させる要素７ｃを含む暖房用並列膨張配管７ｂを更に含めてなる。
【００３５】
前記室内機Ｃは、室内の各室に各々設けられ内部に室内熱交換機６２と一端が前記室内熱交換機の一端に連結される電子膨張弁６１を含めてなる。
ここで、前記図面符号３は、３ａ、３ｂ、３ｃを、ＣはＣ１，Ｃ２，Ｃ３を６１は、６１ａ、６１ｂ、６１ｃを、前記図面符号６２は６２ａ、６２ｂ、６２ｃを各々示す。
【００３６】
また、前記分配機は、前記室外機と前記室内機との間に備えられ前記室外機Ａから流れ込んだ冷媒を前記運転条件によって前記複数の室内機内に選択的に案内し、前記室内機を経由した冷媒を前記室外機に再び案内する。
【００３７】
前記分配機は、前記運転条件によって、前記室外機Ａの第１連結配管３または第２連結配管４に沿って流入する冷媒を前記室内機Ｃに案内し、前記室内機Ｃから流入した冷媒を前記室外機の第１連結配管３又は第３連結配管５に案内する案内配管部２０と、前記案内配管部に設けられて前記運転条件に沿って冷媒が前記室内機に選択的に、流出、流入するように冷媒の流れを制御する弁部３０を含めてなる。
【００３８】
前記案内配管部２０は、一端が前記室外機の第１連結配管に直接連結される高圧液相冷媒連結管２１と、一端が前記高圧液相冷媒連結管で前記室内機Ｃの数によって分岐し、他端が各室内機の電子膨張弁６１の他端に連結される高圧液相冷媒分岐管２２と、一端が前記室外機の第２連結配管に直接連結される高圧気相冷媒連結管２３と、一端が前記高圧気相冷媒連結管で前記室内機の数によって分岐し、他端が各室内機の熱交換機６２の他端に連結される高圧気相冷媒分岐管２４と、一端が前記室外機の第３連結配管５に直接連結される低圧気相冷媒連結管２５と、また、一端が前記低圧気相冷媒連結管で前記室内機の数によって分岐し、他端は前記高圧気相冷媒分岐管２４が連結される前記各室内熱交換機の他端に連結される低圧気相冷媒分岐管２６とを含めてなる。
【００３９】
前記弁部は、前記高圧気相冷媒分岐管２４と前記低圧気相冷媒分岐管２６上に各々設けられ、室内が冷房である場合、前記高圧気相冷媒分岐管の弁３１は閉鎖され、低圧気相冷媒分岐管上の弁３２は開放され、室内が暖房である場合、前記各弁が逆に開閉されて冷媒の流れを制御する選択弁３１，３２を含めてなる。
【００４０】
また、前記分配機は全室を冷房するモードで、前記第２連結配管内に溜まる高圧の気相の冷媒が液化しないように、前記第２連結配管と前記低圧気相冷媒連結管との間に液化遮断手段を更に含めてなることが望ましい。
【００４１】
前記液化遮断手段は、図１に示すように前記第２連結配管と、前記低圧気相冷媒連結管を連結する補助管２７ａ、また、補助管に備えられて開道量を調節しながら第２連結配管４に溜まる冷媒を低圧の気体状態に変換させる電子膨張弁２７ｂを含めてなる。
【００４２】
前記図面符号２２は、２２ａ、２２ｂ、２２ｃを、前記図面符号２４は、２４ａ、２４ｂ、２４ｃを、前記図面符号２６は、２６ａ、２６ｂ、２６ｃを、図面符号２７は２７ａ、２７ｂを、３１は３１ａ、３１ｂ、３１ｃを、３２は、３２ａ，３２ｂ，３２ｃを各々示す。
【００４３】
前記室外機に備えられる前記霜除去装置７０は、一端が前記第２連結配管に連結され、他端が前記分配機と前記室外熱交換機との間の第１連結配管に連結されるようになる。
【００４４】
前記霜除去装置の構成に対する必要性について先に説明する。
一般的にマルチ空気調和機が暖房モードで運転される時、前記室外熱交換機は蒸発器の役割を行うのでその表面に霜が生成され、前記霜は前記マルチ空気調和機の空調効率を低下させるおそれがある。この時、別途のヒーターを採用して前記室外熱交換機に結ばれた霜を除去することもできるが、これは追加的なエネルギーを消耗する。従って、本発明によるマルチ空気調和機は内部に別途のヒーターを採用することなく後に述べる構成を有している霜除去装置が設けられる。
【００４５】
前記霜除去装置は、一端が前記第２連結配下に連結されて、前記第２連結配管から冷媒を案内する第１案内管７２、一端が前記第１案内管の他端に連結される除霜用熱交換機７１、また、一端が前記除霜用熱交換機７１の他端に連結され、他端が前記分配機と室外熱交換機との間の第１連結配管に連結される第２案内管７３を含めてなる。
【００４６】
前記霜除去装置は、前記第１案内管に設けられて前記第２連結配管から流れ込む冷媒の流量を制御する電子弁７４を更に含めてなることが望ましい。前記電子弁を更に含めると、前記霜除去装置が稼動する時、前記除霜用熱交換機７１を経て前記第１連結配管３ｃに流れ込む液相冷媒が流量差によって前記室内熱交換機に流れ込むことを効率的に防止できる。
【００４７】
前記第２案内管７３と、前記第１連結配管３との連結部は前記暖房用並列膨張配管７ｂと分配機との間で成されることが望ましい。
【００４８】
前記構成を有するマルチ空気調和機の運転モードは、全室を冷房する第１モードと、多数室を冷房し、少数室を暖房する第２モードと、全室を暖房する第３モードと、多数室を暖房し少数室を冷房する第４モードと、前記第３モード時に前記室外熱交換機の表面に生成される霜を除去するように前記霜除去装置を稼動させる第５モードと、前記第４モード時に前記室外熱交換機の表面に生成される霜を除去するように前記霜除去装置を稼動させる第６モードを含めてなる。
【００４９】
尚、霜除去効果を高めるために、前記室外機Ａは、前記室外熱交換機側に室外ファン２ａを更に含めてなることが望ましい。また、前記室外ファンは前記除霜用熱交換機側から前記室外熱交換機側に空気が流動するようになることが望ましい。
【００５０】
以下、本発明による霜除去装置を有するマルチ空気調和機の他の実施例を図２ないし図８を参照して説明する。但し、同一の構成と作動については下記説明を省略する。また、本発明の他の実施例によるマルチ空気調和機の室外機に備えられる霜除去装置を除外した他の構成は同一に構成されるので説明を省略する。
【００５１】
以下、後述する本発明の他の実施例において、前記冷媒流動制御部は、前記運転条件によって前記圧縮機から吐き出された冷媒を前記室外熱交換機２または前記分配機に選択的に案内する四方弁６０からなる。
本発明の第１実施例によるマルチ空気調和機の室外機に備えられる霜除去装置の構成は以下の通りである。
【００５２】
図２を参照すれば、前記霜除去装置７０は、一端が前記第２連結配管４に連結され、前記第２連結配管から流れ込む冷媒の流量を制御する電子弁７４を含む第１案内管７２、一端が前記第１案内管の他端に連結される除霜用熱交換機７１、また、一端が前記第２熱交換機の他端に連結され、他端が前記分配機Ｂと室外熱交換機２との間の第１連結配管３ｃに連結される第２案内管７３を含めてなる。
【００５３】
ここで、前記第２案内管７３と、前記第１連結配管との連結部は前記暖房用並列膨張配管７ｂと分配機との間でなされることが望ましい。
【００５４】
また、前記霜除去装置７０は、前記第３又は第４モード中に前記除霜用熱交換機７１が前記室外熱交換機２と共に蒸発器の機能も可能とするために、一端が前記四方弁６０と前記室外熱交換機との間を連結する第１連結配管３ｂに連結され、他端が前記第１案内管７２に連結される第１バイパス管８１と、前記第１バイパス管８１と前記第１案内管７２の交差部に備えられ、運転モードによって冷媒の流れを変換させる第１三方弁８２と、一端が前記室外熱交換機２と前記暖房用並列膨張配管７ｂとの間の第１連結配管３ｃに連結され、他端が前記第２案内管７３に連結される第２バイパス管９１と、前記第２案内管と前記第２バイパス管９１の交差部に備えられて運転モードによって冷媒の流れを変換させる第２三方弁９２を更に含めてなる。
【００５５】
尚、本発明の第２実施例であって図３に示すように、前記第３又は第４モード中に前記除霜用熱交換機７１が前記室外熱交換機２と共に蒸発器の機能も可能とするために、前記霜除去装置７００は、一端が前記四方弁６０と前記室外熱交換機２との間を連結する第１連結配管３ｂに連結され、他端が前記第１案内管に連結されるバイパス管８１０と、前記バイパス管８１０と前記第１案内管７２との交差部に備えられ、前記運転モードによって冷媒の流れを変換させる三方弁８２０と、前記第２案内管７３に備えられて前記分配機から流れ込む冷媒を膨張させる膨張手段を更に含めてなる。
ここで、前記膨張手段は、電子膨張弁７５からなることが望ましい。
【００５６】
次は、上述した本発明の第１実施例によるマルチ空気調和機において、冷媒の流動を図４、図５、図６、図７、図８また、図９を参照して説明する。
第一、図４を参照すれば、前記本発明の第１実施例によるマルチ空気調和機の前記第１モードによる冷媒の流動は次の通りである。前記圧縮機１から吐き出された大部分の高圧の気相冷媒は第１連結配管３ａを経て四方弁６０へ流れ込む。前記流れ込んだ冷媒は、前記室外熱交換機に案内されて室外空気に熱を放出した後に前記チェック弁７ａを経て分配機の高圧液相冷媒連結管に流れ込む。
【００５７】
また、前記の高圧液相連結管２１を経た冷媒は室内機の数だけ分岐した前記高圧液相冷媒分岐管２２へ案内された後、前記室内機の電子膨張弁６１へ流れ込む。前記電子膨張弁へ流れ込んだ高圧液相の冷媒は膨張した後、前記室内熱交換機６２を経て吸熱過程を経る。
【００５８】
前記室内熱交換機６２を経た冷媒は低圧の気相冷媒で前記分配機の低圧気相冷媒分岐管２６に沿って流れる。その理由は、図４に示すように、前記高圧気相冷媒分岐管２４上の選択弁３１は遮断され、前記低圧気相冷媒分岐管２６上の選択弁３２は開放されているからである。前記選択弁は運転モードによって電子式で統制される。
【００５９】
前記低圧気相冷媒分岐管２６を経た冷媒は前記低圧気相冷媒連結管２５に集結されて前記室内機の第３連結配管６に案内された後、更に圧縮機１に吸入される。図４の未説明符号９はアキュムレータである。
【００６０】
尚、前記圧縮機１から吐き出された高圧気相の冷媒の中、所定量は、第１連結配管３ａに連結された前記第２連結配管５へ流れ込む。しかしながら、前記分配機の高圧気相冷媒分岐管２４上の選択弁３１が遮断されていて、それ以上流れず溜まることになる。但し、前記溜まった冷媒は前記第２連結配管５と前記低圧気相冷媒連結配管２５との間に備えられた前記液化遮断装置２７のバイパス管２７ａに迂回して前記電子変換弁２７ｂを経て低圧の気体状態に変換される。
【００６１】
前記電子変換弁２７ｂは前記バイパス管２７ａ上に備えられて開道量を調節しながら、前記第２連結配管５内に溜まった高圧の気相冷媒を低圧の気相冷媒で変換させ、前記低圧の気相に変換された冷媒は前記低圧気相冷媒連結管２５を通過して前記圧縮機１に再び吸入される。
【００６２】
前記低圧気相冷媒連結管２５に流れ込んだ後の流れは上述の通りである。
次に前記構成を有する霜除去装置の動作について説明する。
先ず、前記第１三方弁８２と第２三方弁９２が全ての流路を完全に遮断した場合において、本システムは予め上述した冷媒の流れによって室内を冷房する。
【００６３】
次に、図４に示すように第１三方弁８２は、前記第１バイパス管８１と前記除霜用熱交換機７１だけが互いに連通可能に開放され、前記第２三方弁８２は前記除霜用熱交換機７１と前記第２バイパス管７１を通して前記除霜用熱交換機７１に高圧液相の冷媒が流れ込み、前記除霜用熱交換機７１は前記室外熱交換機２のように室外空気に熱を放出する機能を行う。
【００６４】
また、前記除霜用熱交換機から流出された冷媒は、前記第１連結配管のチェック弁７ａを経て分配機Ｂに案内され、その後の動作は前述の通りである。
第二、図５を参照すれば、前記本発明の第１実施例によるマルチ空気調和機の前記第２モードによる冷媒の流動は次の通りである。
【００６５】
前記圧縮機１から吐き出された大部分の高圧の気相冷媒は、第１連結配管３ａを経て四方弁６０に流れ込む。前記流れ込んだ冷媒は前記室外熱交換機２に案内されて室外空気に熱を放出した後、前記チェック弁７ａを経て分配機の高圧液相冷媒連結管２１に流れ込む。その後の動作は前記第１モードの場合と同じであるので説明を省略する。
【００６６】
尚、前記四方弁６０に流れ込んだ高圧気相の冷媒を除外した少量の冷媒は前記第２連結配管４に沿って前記分配機の高圧気相冷媒連結管２３に案内される。前記第２モードでは前記第１モードの場合とは異なり、前記液化遮断装置２７の変換用膨張弁２７ｂが遮断されて前記低圧気相冷媒連結管２５に流れ込まない。
【００６７】
尚、暖房が必要な室がＣ３の場合、Ｃ３に連結される前記分配機の選択弁は冷房が必要な室と反対に高圧気相冷媒分岐管上の選択弁３１ｃは開放され、低圧気相冷媒分岐管上の選択弁３２ｃは遮断されて前記高圧気相冷媒連結管２３に沿って流れる冷媒は暖房が必要な室に続く前記高圧気相冷媒分岐管２４ｃに案内される。
【００６８】
前記高圧気相冷媒分岐管２４ｃに案内された冷媒は、暖房が必要な前記室内機の室内熱交換機６２ｃに流れ込んで放熱過程を経た後、前記室内機に連結された高圧液相冷媒分岐管２２ｃに流出される。
前記高圧液相冷媒分岐管２２ｃに沿って案内された冷媒は、前記室外熱交換機３を通過して流れる冷媒と前記高圧液相冷媒連結管２１上で合流して流動して以降の過程は前記第１モードの場合と同じである。
【００６９】
尚、本モードにおいて、前記霜除去装置７０の動作は、前記第１モードにおける霜除去装置の動作と同じであるので説明を省略する。
第三、図６を参照すれば、前記本発明の第１実施例によるマルチ空気調和機の前記第３モードによる冷媒の流動は次の通りである。
【００７０】
前記圧縮機１において吐き出された大部分の高圧の気相冷媒は前記四方弁６０によって前記第１連結配管３ａを経て前記第２連結配管４に案内される。前記流れ込んだ冷媒は前記分配機の高圧気相冷媒連結管２３に直接案内される。また前記高圧気相冷媒連結管２３に案内された冷媒は各室内機に分岐した高圧気相冷媒分岐管２４に流れ込む。
【００７１】
前記第３モードにおいて、電子式で制御される前記分配機の選択弁は前記第１モードの場合と反対に前記高圧気相冷媒分岐管２４上の選択弁３１は開放され、前記低圧気相冷媒分岐管２６上の選択弁３２は遮断されて前記冷媒は高圧気相冷媒分岐管２４に沿って流動した後、前記室内機の室内熱交換機６２へ流れ込んで放熱過程を経る。
【００７２】
前記室内熱交換機３１から流出した高圧液相の冷媒は完全に開放された電子膨張弁６１を経て前記高圧液相冷媒分岐管２２と高圧液相冷媒連結管２１に案内された後、前記室外機の第１連結配管３ｃに沿って流動する。
【００７３】
前記第１連結配管３ｃに沿って案内された冷媒は、前記チェック弁７ａと並列に設けられた前記並列配管７ｂ上の電子膨張弁７ｃを経て室外熱交換機２に流れ込む。その理由は前記第３モードでは前記チェック弁１１が遮断されているからである。
【００７４】
前記室外熱交換機２に流れ込んだ冷媒は吸熱過程を経た後前記第１連結配管３ｂを通過して前記四方弁６０へ流れ込む。前記四方弁６０へ流れ込んだ冷媒は前記第３連結配管の分岐管５ａを経て第３連結配管を通して前記圧縮機１に吸入される。
【００７５】
次は、本モードにおいて、前記霜除去装置の動作について説明する。
先ず、前記第１三方弁８２が全ての流路を完全に遮断した場合において、本システムは既に説明された冷媒の流れによって室内を暖房する。
次に、図５に示すように前記第１三方弁８１が前記第１バイパス管８２と前記除霜用熱交換機７１が開通されるように開放し、前記第２三方弁９２が前記除霜用熱交換機７１と前記第２バイパス管９１が開通されるように開放される場合、前記第１連結配管を通して流動する冷媒は、前記並列膨張配管７ｂを経た後に前記第２バイパス管９１を通して前記除霜用熱交換機７１に冷媒が流れ込む。この時前記除霜用熱交換機７１は前記室外熱交換機７１から流出した冷媒は前記第１バイパス管７１を通して前記第１連結配管３ｂに案内される。
【００７６】
以降の過程は、本モードにおいて前記室外熱交換機から流出して前記第１連結配管３に沿って流れる高圧液相冷媒の流動と同一である。
第四、図７を参照すれば、前記本発明の第１実施例によるマルチ空気調和機の前記第４モードによる冷媒の流動は次の通りである。
【００７７】
前記圧縮機１から吐き出された大部分の高圧気相の冷媒は第２連結配管４を通して分配機に流れ込む。暖房が必要な室がＣ１とＣ２であり、冷媒が必要な室がＣ３である場合において、前記流れ込んだ冷媒は前記高圧気相冷媒連結管２３を経て前記分配機の選択弁の制御を受けて前記高圧気相冷媒分岐管２４を通して暖房が必要な室Ｃ２、Ｃ３の室内機に備えられた室内熱交換機６２ａ、６２ｂに流れ込んで放熱過程を経る。また、完全に開放された前記電子膨張弁６１ａ、６１ｂを経て前記高圧液相冷媒分岐管２２ａ、２２ｂと高圧液相冷媒連結管２１に沿って流動する。
【００７８】
尚、冷房が必要な室Ｃ３に連結される前記分配機の選択弁は暖房が必要な室と反対に前記高圧気相冷媒分岐管２４ｃ上の選択弁３１ｃは遮断され、前記低圧気相冷媒分岐管２６ｃ上の選択弁３２ｃは開放されて前記高圧液相冷媒連結管２１に沿って流れる冷媒のうち、一定量の高圧液相冷媒が、冷房が必要なＣ３に続く前記高圧液相冷媒分岐管２２ｃへ案内される。前記高圧液相冷媒分岐管２２ｃに案内された少量の高圧液相冷媒を除外した他の冷媒の流れは第３モードの場合と同じであるので説明を省略する。
【００７９】
前記高圧液相冷媒分岐管２２ｃに案内された冷媒は冷房が必要な室の室内機に備えられた電子膨張弁６１ｃで膨張された後、前記室内熱交換機６２ｃに流れ込んで吸熱過程を経た後、流路が開放された低圧液相冷媒分岐管２６ｃに流出される。
【００８０】
前記低圧気相冷媒分岐管２６ｃに沿って流れる低圧気相の冷媒は前記低圧気相冷媒連結管２５を経た後、前記室外熱交換機２を通過して流れる冷媒と前記第３連結配管５で合流して前記圧縮機１に吸入される。
【００８１】
尚、本モードにおいて、前記霜除去装置の動作７１は前記第３モードにおいける霜除去装置の動作と同じであるので説明を省略する。
第五、図８を参照すれば、前記本発明の第１実施例によるマルチ空気調和機の前記第５モードによる冷媒の流動は次の通りである。
本モードにおいて、前記霜除去装置７１を除いた部分の動作は前記第３モードと同じであるのでその部分の説明は省略される。
【００８２】
本実施例によるマルチ空気調和機の霜除去装置７１が除霜機能を行うためには、前記第１案内管７２に設けられた電子弁７４が流量を制御しながら開放され、前記第１三方弁８２は前記第１案内管７２を通して流れる冷媒が前記除霜用熱交換機７１に流れ込むように一部弁が開放され、前記第１バイパス管８１を開閉する弁は遮断される。
【００８３】
また、前記第２三方弁９２は、前記除霜用熱交換機７１から流出された冷媒が前記第２案内管７３に沿って前記第１連結配管３ｃに案内され得るように一部弁が開放され、前記第２バイパス管９１を開閉する弁は遮断される。
【００８４】
前記第１案内管の電子弁７４、第１三方弁８２、また、前記第２三方弁９２の前記のような動作によって、前記圧縮機１から吐き出された高圧気相の冷媒の一部は前記第１案内管７２、第１三方弁８２、除霜用熱交換機７１、第２三方弁９２、また、第２案内管７３を順次に経た後、前記第１連結配管３ｃに案内される。前記第１連結配管に案内された冷媒は前記並列膨張配管７ｂを経て膨張された後、前記室外熱交換機２に流れ込み、その後の流れは前記第３モードの通りである。
【００８５】
前記除霜用熱交換機に流れ込んだ高圧液相の冷媒は放熱過程を経ることとなり、この時、放出された熱が前記室外熱交換機に生成された霜を除去する。
第六、図９を参照すれば、前記本発明の第１実施例によるマルチ空気調和機の前記第６モードによる冷媒の流動は次の通りである。
【００８６】
本モードにおいて、前記霜除去装置を除いた他の部分の動作は第４モードの場合と同じであり、前記霜除去装置の動作は図９に示すように前述した本実施例の第５モードにおける動作と同じであるので説明を省略する。
【００８７】
以上本発明の好適な一実施態様について説明したが、前記実施態様に限定されず、本発明の技術思想に基づいて種々の変形が可能である。
【図面の簡単な説明】
【００８８】
【図１】本発明による霜除去装置を有するマルチ空気調和機の基本的な構成を示した図である。
【図２】本発明の第１実施例による霜除去装置を有するマルチ空気調和機を示した構成図である。
【図３】本発明の第２実施例による霜除去装置を有するマルチ空気調和機を示す構成図である。
【図４】本発明の第１実施例による霜除去装置を有するマルチ空気調和機が第１モードで運転される状態を示す図である。
【図５】本発明の第１実施例による霜除去装置を有するマルチ空気調和機が第２モードで運転される状態を示す図である。
【図６】本発明の第１実施例による霜除去装置を有するマルチ空気調和機が第３モードで運転される状態を示す図である。
【図７】本発明の第１実施例による霜除去装置を有するマルチ空気調和機が第４モードで運転される状態を示す図である。
【図８】本発明の第１実施例による霜除去装置を有するマルチ空気調和機が第３モードで運転されると同時に霜除去装置が稼動する状態を示す図である。
【図９】本発明の第１実施例による霜除去装置を有するマルチ空気調和機が第４モードで運転されると同時に霜除去装置が稼動する状態を示す図である。
【符号の説明】
【００８９】
１…圧縮機
２…室外熱交換機
３…第１連結配管
４…第２連結配管
５…第３連結配管
６…冷媒流動制御部
７ｃ…暖房用電子膨張弁
２１…高圧液相冷媒連結管
２２…高圧液相冷媒分岐管
２３…高圧気相冷媒連結管
２４…高圧気相冷媒分岐管
２５…低圧気相冷媒連結管
２６…低圧気相冷媒分岐管
３０…選択弁
６０…四方弁
６１…冷房用電子膨張弁
６２…室内熱交換機
７０…霜除去装置
７１…除霜用熱交換機
７２…第１案内管
７３…第２案内管
８１…第１バイパス管
８２…第２三方弁
９１…第２バイパス管
９２…第２三方弁
Ａ…室外機
【図１】
2004219060.tif 000003
【図２】
2004219060.tif 000004
【図３】
2004219060.tif 000005
【図４】
2004219060.tif 000006
【図５】
2004219060.tif 000007
【図６】
2004219060.tif 000008
【図７】
2004219060.tif 000009
【図８】
2004219060.tif 000010
【図９】
2004219060.tif 000011